(57)【要約】      （修正有）【課題】小さなソケットにおいても端子の半田付け部の配設構造を容易に識別でき、且つ、半田付け部が異物によって接触不良を起こさないナノＳＩＭカード用のソケットを提供する。【解決手段】ナノＳＩＭカード用のソケットは、横に並べられた第１乃至第３接続部と、第１接続部は第４接続部と、第２接続部は第５接続部と、第３接続部は第６接続部とそれぞれ向かい合うように前記第１乃至第３接続部と並ぶように配設される第４乃至第６接続部と、を備、前記ナノＳＩＭカードの接続部とそれぞれ接触する接触部およびプリント回路基板に半田付けされる半田付け部を備えた第１乃至第６端子と、ナノＳＩＭカードが差し込まれたときにナノＳＩＭカードの各接続部の位置と対応する位置に配設された第１乃至第６接触部用の通孔を備えたハウジングと、前記ハウジングと組み合わせられてナノＳＩＭカードが差し込まれる差込空間を形成するカバーと、を備える。【選択図】図３
2014116917.tif 000002
【特許請求の範囲】
【請求項１】
横に並べられた第１乃至第３接続部と、
第１接続部は第４接続部と、第２接続部は第５接続部と、第３接続部は第６接続部とそれぞれ向かい合うように前記第１乃至第３接続部と並ぶように配設される第４乃至第６接続部と、
を備えたナノＳＩＭカードを接続するためのソケットであって、
前記ナノＳＩＭカードの接続部とそれぞれ接触する接触部およびプリント回路基板に半田付けされる半田付け部を備えた第１乃至第６端子と、
ナノＳＩＭカードが差し込まれたときにナノＳＩＭカードの各接続部の位置と対応する位置に配設された第１乃至第６接触部用の通孔を備えたハウジングと、
前記ハウジングと組み合わせられてナノＳＩＭカードが差し込まれる差込空間を形成するカバーと、
を備え、
前記ハウジングは、平行に並べられた第１乃至第３接触部用の通孔と第４乃至第６接触部用の通孔との間に半田付け部用の通孔を備え、
前記第１乃至第６端子の接触部は、第１乃至第６接触部用の通孔を介してそれぞれ露出され、
前記第１乃至第６端子の半田付け部は、第１乃至第６接触部用の通孔側方向の半田付け部用の通孔の面に沿ってそれぞれ露出されていることを特徴とするナノＳＩＭカード用のソケット。
【請求項２】
前記ナノＳＩＭカードは、第１接続部と第４接続部との間に第７接続部を、第３接続部と第６接続部との間に第８接続部をさらに備えたものであり、
前記ソケットは、前記第７および第８接続部にそれぞれ接触される第７および第８端子をさらに備え、
前記ハウジングは、前記第７および第８端子の接触部が露出される第７および第８接触部用の通孔をさらに備え、
前記第７および第８端子の半田付け部は、第７および第８接触部用の通孔側方向の半田付け部用の通孔の面に沿ってそれぞれ露出されていることを特徴とする請求項１に記載のナノＳＩＭカード用のソケット。
【請求項３】
前記第１乃至第６端子のうちのいずれか一つ以上は、片持ち梁状の接触部が向く方向がソケットにナノＳＩＭカードを差し込む方向と斜めになるように配設されることを特徴とする請求項１または２に記載のナノＳＩＭカード用のソケット。
【請求項４】
前記カバーは、ハウジングの半田付け部用の通孔が覗かれる覗き用の通孔をさらに備えることを特徴とする請求項１または２に記載のナノＳＩＭカード用のソケット。
【発明の詳細な説明】
【技術分野】
【０００１】
本発明は、ナノＳＩＭカード用のソケットに係り、さらに詳しくは、最近標準化が進められており、マイクロＳＩＭカードよりも長さ／幅／厚さが減少されたナノＳＩＭカードを取り付けるためのナノＳＩＭカード用のソケットに関する。
【背景技術】
【０００２】
近年、携帯電話は、多機能化を図るために一層多くの各種部品が必要になるのに対し、小型軽量化をも図っており、これに伴い、加入者の識別のためのＳＩＭカードもまた小型化されつつある。
【０００３】
携帯電話の加入者の識別のために用いられた最初のＳＩＭカード（図１の（ａ））は長さ／幅が２５／１５ｍｍであり、その次に発表されてこれまで用いられているマイクロＳＩＭカード（図１の（ｂ））は長さ／幅が約１５／１２ｍｍである。最近には、これよりもさらに小さくなって長さ／幅が１２／８ｍｍに達するナノＳＩＭカード（図１の（ｃ））が実機に適用され始めている（図１参照）。
【０００４】
ＳＩＭカードは、ＧＳＭ方式では６つの接続部１１〜１６を用いるが、韓国では２つの接続部１７、１８を交通カード用にさらに確保して８つの接続部を用いる場合もある。
【０００５】
通常、この種のＳＩＭカードを取り付けるために携帯電話に設けるソケットは、図２に示すように、大韓民国登録特許第１２０１６６７号公報の構造を有する。
【０００６】
ソケットは、合成樹脂製のハウジング１００と、ハウジング１００に取り付けられ、ＳＩＭカード１０の接続部と接触される接触部２１０と、プリント回路基板に半田付けされるための半田付け部２２０とを有する複数の端子２００と、ＳＩＭカード１０の差込／抜去を行うためにハートカム３１１付きスライダー３１０／ばね３２０／作動部３３０を有するカムスライダー３００と、ハウジング１００の上面からハウジング１００と組み合わせられてハウジングとの間にＳＩＭカードが差し込まれる空間を形成するための金属製カバー４００と、を備える。
【０００７】
従来のソケットの端子は、半田付け部がソケットの背面に一列に配設され、且つ、接触部は、ソケットの前方側に支点を有し、後方に向かって延びた片持ち梁状を呈する。端子の接触部は、ハウジングの端子設置用の通孔に露出されて片持ち梁の弾性によってＳＩＭカードの接続部と接触する。
【０００８】
図１（ａ）および図１（ｂ）に示す従来のＳＩＭカードの場合には、２列に接続部が形成されているが、これらの接続部とそれぞれ接続された各端子は半田付け部が一列に配設されていて、設計時または組立後に各端子の半田付け部の配設構造を把握し難い場合が多い。特に、半田付け部を一列に配設するため半田付け部同士の間隔が密であり、且つ、ハウジングの外面側に突設されているため各端子の半田付け部の間に半田付け時の異物などが挟まれて各種の電気的な不良を引き起こす場合が頻発する。
【０００９】
特に、現在商用利用しているＳＩＭカードのうち最も小さなナノＳＩＭカードの場合には、接続部同士の間隔は従来のＳＩＭカードと同様であるとはいえ、その全体の大きさが小さく、これに伴い、ソケットの大きさも小さくなるため、半田付け部同士の間隔を十分に確保することが困難になって半田付け部の配設構造が識別され難いだけではなく、異物の混入にさらに大きな影響を受けてしまう。
【００１０】
また、図２に示すソケットの構造においては、ハートカムとの作動によってプッシュ−プッシュの方式によりＳＩＭカードの差込／抜去を行うためにソケットの外部にＳＩＭカードの一部が突き出ている必要があり、且つ、端子の接触部となる片持ち梁の長さが各端子別に揃っていなければ、端子に加えられる接触力が一定にならないが、図１（ c ）に示すナノＳＩＭカードの場合には、接続部とカードの外側との間の間隔Ｌが狭くてソケットにおける端子の接触部となる片持ち梁の長さを十分に確保することが困難であり、片持ち梁の長さを増やすとソケットが大きくなってナノＳＩＭカードがソケットの内部に入り込んでしまい、外部におけるプッシュ−プッシュの作動が困難になるという問題点もある。
【先行技術文献】
【特許文献】
【００１１】
【特許文献１】大韓民国登録特許第１２０１６６７号公報（２０１２年１１月１５日付け登録、図６）
【発明の概要】
【発明が解決しようとする課題】
【００１２】
本発明は前記従来の技術の問題点を解消するために案出されたものであり、その目的は、小さなソケットにおいても端子の半田付け部の配設構造を容易に識別することができ、且つ、半田付け部が異物によって接続不良を引き起こさないナノＳＩＭカード用のソケットを提供することである。
【００１３】
また、本発明の他の目的は、接続部とカード外側との間の間隔が狭いナノＳＩＭカードの差込／抜去が円滑に行われ、且つ、端子の接触部がナノＳＩＭカードの接続部と適切な強度をもって接触するナノＳＩＭカード用のソケットを提供することである。
【課題を解決するための手段】
【００１４】
前記従来の技術の問題点を解消するために案出された本発明に係るナノＳＩＭカード用のソケットは、
横に並べられた第１乃至第３接続部と、
第１接続部は第４接続部と、第２接続部は第５接続部と、第３接続部は第６接続部とそれぞれ向かい合うように前記第１乃至第３接続部と並ぶように配設される第４乃至第６接続部と、
を備えたナノＳＩＭカードを接続するためのソケットであって、
前記ナノＳＩＭカードの接続部とそれぞれ接触する接触部およびプリント回路基板に半田付けされる半田付け部を備えた第１乃至第６端子と、
ナノＳＩＭカードが差し込まれたときにナノＳＩＭカードの各接続部の位置と対応する位置に配設された第１乃至第６接触部用の通孔を備えたハウジングと、
前記ハウジングと組み合わせられてナノＳＩＭカードが差し込まれる差込空間を形成するカバーと、を備え、
前記ハウジングは、平行に並べられた第１乃至第３接触部用の通孔と第４乃至第６接触部用の通孔との間に半田付け部用の通孔を備え、
前記第１乃至第６端子の接触部は、第１乃至第６接触部用の通孔を介してそれぞれ露出され、
前記第１乃至第６端子の半田付け部は、第１乃至第６接触部用の通孔側方向の半田付け部用の通孔の面に沿ってそれぞれ露出されていることを特徴とする。
【００１５】
好ましくは、前記ナノＳＩＭカードは、第１接続部と第４接続部との間に第７接続部を、第３接続部と第６接続部との間に第８接続部をさらに備えたものであり、
前記ソケットは、前記第７および第８接続部にそれぞれ接触される第７および第８端子をさらに備え、
前記ハウジングは、前記第７および第８端子の接触部が露出される第７および第８接触部用の通孔をさらに備え、
前記第７および第８端子の半田付け部は、第７および第８接触部用の通孔側方向の半田付け部用の通孔の面に沿ってそれぞれ露出されている。
【００１６】
また、好ましくは、前記第１乃至第６端子のうちのいずれか一つ以上は、片持ち梁状の接触部が向く方向がソケットにナノＳＩＭカードを差し込む方向に対して斜めに配設される。
【００１７】
さらに、好ましくは、前記カバーは、ハウジングの半田付け部用の通孔が覗かれる覗き用の通孔をさらに備える。
【発明の効果】
【００１８】
本発明によれば、小さなソケットにおいても端子の半田付け部の配設構造を容易に識別することができ、且つ、半田付け部が異物によって接続不良を引き起こさないという効果がある。なお、接続部とカード外側との間の間隔が狭いナノＳＩＭカードの差込／抜去が円滑に行われ、且つ、端子の接触部がナノＳＩＭカードの接続部と適切な強度をもって接触するという効果もある。
【図面の簡単な説明】
【００１９】
【図１】各種のＳＩＭカードを示す図である。
【図２】従来のＳＩＭカード用のソケットの一例を示す図である。
【図３】本発明の一実施形態に係るナノＳＩＭカード用のソケットの分解斜視図である。
【図４】本発明の一実施形態に係る端子の形成のために加工された金属板を示す図である。
【図５】本発明の一実施形態に係るナノＳＩＭカード用のソケットの内部構造を示す平面図である。
【図６】本発明の他の実施形態に係るナノＳＩＭカード用のソケットの内部構造を示す平面図である。
【発明を実施するための形態】
【００２０】
以下、添付図面に基づき、本発明に係るナノＳＩＭカード用のソケットについて詳述する。
【００２１】
図３は、本発明の一実施形態に係るナノＳＩＭカード用のソケットの分解斜視図である。
【００２２】
本発明の一実施形態に係るナノＳＩＭカード用のソケットは、大韓民国登録特許第１２０１６６７号公報と同様に、合成樹脂製のハウジング１００と、、ハウジング１００に取り付けられ、ＳＩＭカード１０の接続部と接触される接触部２１０と、プリント回路基板に半田付けされるための半田付け部２２０とを有する複数の端子２００と、ＳＩＭカード１０の差込／抜去を行うためにハートカム３１１付きスライダー３１０／ばね３２０／作動部３３０を有するカムスライダー３００と、ハウジング１００の上面からハウジング１００と組み合わせられてハウジングとの間にＳＩＭカードが差し込まれる空間を形成するための金属製カバー４００と、を備える。
【００２３】
但し、前記従来の技術によるソケットは、端子をハウジングに形成された溝に嵌設するものであるが、本実施形態に係るナノＳＩＭカード用のソケットは、合成樹脂製のハウジングを射出するときに、端子を形成するために加工された図４に示す金属板とともに射出するインサート射出方式を取っているという点で相違点があるが、この相違点は本発明の技術的思想とは関係ない。
【００２４】
本実施形態において、ハウジング内の端子は、射出後に、図４のハッチング部分の打ち抜きによって互いに分離される。
【００２５】
各端子は、図４に示すように、片持ち梁状の接触部２１０−ｎ（ｎ＝１〜６）と、半田付け部２２０−ｎ（ｎ＝１〜６）と、を備えている。半田付け部２２０−ｎ（ｎ＝１〜６）は、プリント回路基板に半田付けされる。
【００２６】
本実施形態において、ナノＳＩＭカードは、下面に第１乃至第６接続部１１〜１６を備えているが、第１乃至第３接続部１１〜１３は横に並べられ、且つ、第１接続部１１は第４接続部１４と、第２接続部１２は第５接続部１５と、第３接続部１３は第６接続部１６とそれぞれ向かい合うように前記第１乃至第３接続部１１〜１３と並ぶように配設されている。
【００２７】
本実施形態に係る端子の接触部２１０−ｎ（ｎ＝１〜６）は、ナノＳＩＭカードの第１乃至第６接続部１１〜１６とそれぞれ接触される。
【００２８】
図５は、本実施形態に係るナノＳＩＭカード用のソケットからカバーを外した状態の平面図である。
【００２９】
ハウジング１００は、ナノＳＩＭカードが差し込まれたときに、ナノＳＩＭカードの各接続部の位置と対応する位置に配設された第１乃至第６接触部用の通孔１１０−ｎ（ｎ＝１〜６）を備えている。
【００３０】
また、ハウジング１００は、端子の半田付け部が配設される半田付け部用の通孔１２０を備えているが、半田付け部用の通孔１２０は、第１乃至第３接触部用の通孔１１０−ｎ（ｎ＝１〜３）と、第４乃至第６接触部用の通孔１１０−ｎ（ｎ＝４〜６）との間に配設される。
【００３１】
前記第１乃至第６端子の接触部２１０−ｎ（ｎ＝１〜６）は、第１乃至第６接触部用の通孔１１０−ｎ（ｎ＝１〜６）を介してそれぞれ露出され、前記第１乃至第６端子の半田付け部２２０−ｎ（ｎ＝１〜６）は、第１乃至第６接触部用の通孔１１０−ｎ（ｎ＝１〜６）側方向の半田付け部用の通孔１２０の面に沿ってそれぞれ露出されている。
【００３２】
このように、第１乃至第６端子の半田付け部２２０−ｎ（ｎ＝１〜６）は、ナノＳＩＭカードの接続部１１〜１６とそれぞれ対応するように配列されているため、半田付け部の配設構造を容易に識別することができ、半田付け部用の通孔１２０が第１乃至第３接触部用の通孔１１０−ｎ（ｎ＝１〜３）と第４乃至第６接触部用の通孔１１０−ｎ（ｎ＝４〜６）との間に配設されているため、外部から異物が混入することを抑えることができて接続不良を防ぐことが可能になる。
【００３３】
カバー４００には、半田付け部用の通孔１２０に露出されている半田付け部２２０−ｎ（ｎ＝１〜６）が覗かれる覗き用の通孔４２０をさらに備えており、プリント回路基板に本実施形態に係るナノＳＩＭカード用のソケットを半田付けした後、端子のテストなどを前記覗き用の通孔４２０を介して行うようにすることも好ましい。覗き用の通孔は、接触部２１０−ｎ（ｎ＝１〜６）に対応する個所に備えて端子のテストなどを行うことも可能であるが、この場合、覗き用の通孔を介して異物が混入する可能性が高いため、半田付け部用の通孔の対応位置に覗き用の通孔を備えることが好ましい。覗き用の通孔は、ナノＳＩＭカードがハウジングに正しく差し込まれる方向を表示し得るナノＳＩＭカードの形状を有することも好ましい。
【００３４】
本実施形態において、第４乃至第６端子の片持ち梁状の接触部２１０−ｎ（ｎ＝４〜６）は、ナノＳＩＭカードを差し込む方向（図５における太い矢印方向）に対して斜めに配設されている。これにより、ナノＳＩＭカードがソケットに差し込まれる深さを減らすことができるので、プッシュ−プッシュ方式のソケットに対してナノＳＩＭカードの差込／抜去が円滑に行われる。なお、接触部の片持ち梁の長さを各端子別に揃えることができるので、端子の接触部がナノＳＩＭカードの接続部と適切な強度をもって接触可能になる。
【００３５】
本実施形態においては、第４乃至第６端子の接触部２１０−ｎ（ｎ＝４〜６）のみが斜めに配設されているが、第１乃至第３端子の接触部２１０−ｎ（ｎ＝１〜３）も、必要に応じて、斜めに配設してもよいということはいうまでもない。
【００３６】
図６は、本発明の他の実施形態に係るナノＳＩＭカード用のソケットを示すものである。同図に示すナノＳＩＭカード用のソケットは、ナノＳＩＭカードが第１接続部１１と第４接続部１４との間に第７接続部１７を、第３接続部１３と第６接続部１６との間に第８接続部１８をさらに備えたものである場合（図１（ｃ）参照）に用いられる。
【００３７】
本実施形態において、前記ナノＳＩＭカード用のソケットは、前記第７および第８接続部１７、１８にそれぞれ接触される第７および第８端子をさらに備え、前記ハウジングは、前記第７および第８端子の接触部２１０−ｎ（ｎ＝７、８）が露出される第７および第８接触部用の通孔１１０−ｎ（ｎ＝７、８）をさらに備え、前記第７および第８端子の半田付け部２２０−ｎ（ｎ＝７、８）は、第７および第８接触部用の通孔１１０−ｎ（ｎ＝７、８）側方向の半田付け部用の通孔１２０の面に沿ってそれぞれ露出されている。
【００３８】
前記２つの実施形態は、プッシュ−プッシュの方式によりナノＳＩＭカードの差込／抜去を行うためのカムスライダーを想定しているが、アイフォン４／４ｓのようにＳＩＭカードを据置するＳＩＭカードトレイにも本発明は適用可能である。
【符号の説明】
【００３９】
１０：ＳＩＭカード
１１〜１８：第１〜８接続部
１００：ハウジング
１１０：接触部用の通孔
１２０：半田付け部用の通孔
２００：端子
２１０：接触部
２２０：半田付け部
【図１】
2014116917.tif 000003
【図２】
2014116917.tif 000004
【図３】
2014116917.tif 000005
【図４】
2014116917.tif 000006
【図５】
2014116917.tif 000007
【図６】
2014116917.tif 000008